(57)【特許請求の範囲】
【請求項１】
原稿読み取り手段から読み取られた画像信号を第１の閾値で２値化する第１の２値化手段と、
前記第１の２値化手段で２値化された２値画像信号をもとに原稿外領域を抽出する第１の強制信号発生部と、
前記第１の２値化手段と並列して設けられ、原稿読み取り手段から読み取られた画像信号を前記第１の閾値よりも高い第２の閾値で２値化する第２の２値化手段と、
前記第２の２値化手段で２値化された２値画像信号をもとに原稿外領域を抽出する第２の強制信号発生部と、
前記第１の強制信号発生部で抽出された領域は全て白データとして出力し、それ以外の領域は前記画像信号を文字データとして２値化して出力すべく閾値を可変設定できる文字処理用２値化部と、
前記原稿読み取り手段から読み取られた前記画像信号を写真データとして２値化する写真処理用２値化部と、
前記文字処理用２値化部から出力される２値化データおよび前記写真処理用２値化部から出力される２値化データが入力され、前記第１の強制信号発生部で抽出された領域であって前記第２の強制信号発生部で抽出されていない領域に対しては前記写真処理用２値化部からの２値化データを出力し、それ以外の領域は前記文字処理用２値化部からの２値化データを出力する画像処理選択部と、
を有することを特徴とする画像処理装置。
【請求項２】
前記文字処理用２値化部にて前記画像信号を文字データとして２値化して出力するための閾値を算出するための文字２値化閾値算出手段を有する構成とされた請求項１記載の画像処理装置。
【発明の詳細な説明】
【０００１】
【発明の属する技術分野】
本発明は、入力画像に対し所定の画像処理を施し出力する画像処理装置に関する。
【０００２】
【従来の技術】
フラットベッドタイプの画像処理装置において、製本された原稿（ブック原稿）を読み取った場合、その背表紙の浮いた部分（ブックセンター部）や原稿以外の領域をきれいに処理する方法として、以下の方法がある。
【０００３】
本出願人の先の出願（特開平３−２６１２７０号）による第１の方法は、原稿をセットしてこの原稿の画像データに基づく製版を行うが、このとき荒読みにより１回の読み取り結果を演算して原稿の内外の領域を認識している（プレスキャン）。この後、原稿を再度読み取り（メインスキャン）、前記領域認識された部分の画像データのみを画像処理する構成である。
また、特開平６−３２６８６５号の第２の方法は、ブック原稿のブックセンター部を消去するものであり、ブック原稿を１度読み取るだけでブックセンター部の領域をきれいに処理することができる。
【０００４】
【発明が解決しようとする課題】
第１の方法では、プレスキャンが必要でその読込みに時間がかかる手間があった。また、メインスキャンを行う際にはプレスキャン時における領域認識のままの状態で画像処理されるため、プレスキャンした後にメインスキャンするまでの間に原稿位置がずれると領域認識を行った結果が無駄となり、不良な画像データが出力される問題があった。
第２の方法では、ブックセンター部が消去されてしまうため、このブックセンター部の情報が欠落する問題があった。
また、文字データの２値化閾値が予め定められていたため紙の色の濃い原稿や文字の薄い原稿に対する再現性にも問題があった。
【０００５】
本発明は、上記課題を解決するためになされたものであり、ブック原稿の原稿領域外の画像データを消去できるとともに、ブックセンター部の画像データが欠落することなく得ることができる画像処理装置を提供することを目的としている。また、文字原稿をより美しく再現できる画像処理装置を提供することを目的としている。
【０００６】
【課題を解決するための手段】
上記目的を達成するため、本発明の請求項１記載の画像処理装置は、原稿読み取り手段から読み取られた画像信号を第１の閾値で２値化する第１の２値化手段と、
前記第１の２値化手段で２値化された２値画像信号をもとに原稿外領域を抽出する第１の強制信号発生部と、
前記第１の２値化手段と並列して設けられ、原稿読み取り手段から読み取られた画像信号を前記第１の閾値よりも高い第２の閾値で２値化する第２の２値化手段と、
前記第２の２値化手段で２値化された２値画像信号をもとに原稿外領域を抽出する第２の強制信号発生部と、
前記第１の強制信号発生部で抽出された領域は全て白データとして出力し、それ以外の領域は前記画像信号を文字データとして２値化して出力すべく閾値を可変設定できる文字処理用２値化部と、
前記原稿読み取り手段から読み取られた前記画像信号を写真データとして２値化する写真処理用２値化部と、
前記文字処理用２値化部から出力される２値化データおよび前記写真処理用２値化部から出力される２値化データが入力され、前記第１の強制信号発生部で抽出された領域であって前記第２の強制信号発生部で抽出されていない領域に対しては前記写真処理用２値化部からの２値化データを出力し、それ以外の領域は前記文字処理用２値化部からの２値化データを出力する画像処理選択部と、
を有することを特徴としている。
【０００７】
また、請求項２記載の画像処理装置は、請求項１記載の画像処理装置において、前記文字処理用２値化部にて前記画像信号を文字データとして２値化して出力するための閾値を算出するための文字２値化閾値算出手段を有する構成とされたことを特徴としている。
【０００９】
第１の閾値をもつ第１の２値化手段の出力により、第１の強制信号発生部は、原稿外領域を判定する。第１の閾値よりも高い第２の閾値を持つ第２の２値化手段は、原稿内のブックセンター部を含めて２値化し、第２の強制信号発生部はこの閾値で原稿外領域及びブックセンター部の領域を判定する。
これら第１，第２の強制信号発生部の出力信号の論理演算結果により、ブックセンター部を判定する。
この画像処理装置を使用することにより、フラットベッドタイプの原稿読み取り装置で、製本された原稿（ブック原稿）を読み取った場合、その背表紙の浮いた部分（ブックセンター部）や原稿以外の領域は写真処理用２値化部で２値化出力され、このブック原稿の画像をきれいに処理することができる。
【００１０】
【発明の実施の形態】
図１は、本発明の画像処理装置を示すブロック図である。
本発明では原稿として製本され背表紙（ブックセンター部）を有するブック原稿を画像処理する構成を例に説明する。
イメージセンサ１からの画像信号は、原稿を主走査及び副走査して１画素づつ順次写真処理用２値化部２、文字処理用２値化部３、第１の２値化手段４、第２の２値化手段５に入力される。ここでの画像信号は、白を０、黒を２５５とする２５６階調で表す。
【００１１】
写真処理用２値化部２は、入力された画像データを誤差拡散処理した２値画像データを出力する。
また、文字処理用２値化部３からは、文字原稿に適した２値化処理が施された２値画像が出力される。この文字処理用２値化部３での２値化閾値は前記２５６階調を基準として通常値は中間の「１２８」とされる。この閾値は論理演算部９からの強制白信号入力時には、最大値「２５５」の固定値に可変設定される。
【００１２】
第１の２値化手段４では、イメージセンサ１からの画像信号を前記２５６階調を基準として相対的に低い閾値「６４」で２値化し、同様に第２の２値化手段５では相対的に高い閾値「２４０」で２値化し、それをそれぞれの第１，第２の強制信号発生部６，７へ送る。
第１，第２の強制信号発生部６，７では各々の２値化結果からそれぞれ図２（ｃ）および図２（ｄ）の斜線で表現される連続する黒画素を抽出し、第１，第２の強制信号を論理演算部９に出力する。
【００１３】
論理演算部９は、第１，第２の強制信号をもとに領域判定を行い、強制白信号と強制写真信号を出力する。
領域判定モードとしては２種類あり、１つ目は原稿周囲とブックセンター部を両方とも消去する「消去モード」であり、２つ目は原稿周囲を消去しブックセンター部を写真処理する「写真モード」である。これらのモードの設定は図示していないが、操作部の設定スイッチで切り換えられる。
【００１４】
図２は、原稿を読み取り２値化したときの閾値別の２値画像を示す図である。同図（ａ）に示すように、原稿（ブック原稿）３０は、イメージセンサ１が設けられたスキャナの載置台３１上に載置される。原稿３０は、ブックセンター部３０ａが載置台３１の面から浮くことになる。
同図（ｂ）は、この原稿３０を多値（前記２５６階調）で読み取ったときの画像データを示す図である。図示のように、原稿３０の領域外（図中斜線領域）の画像データの濃度は、黒色「２５５」に近い値となる。同様に原稿３０の領域内でもブックセンター部３０ａは載置台３１の面から浮いているため同部分には濃度が次第に濃く変化している。
【００１５】
同図（ｃ）は、第１の２値化手段４において低い閾値「６４」で２値化したときの出力される画像デ−タである。低い閾値で２値化すると、図示のように、原稿３０の領域外と、ブックセンター部３０ａ部分がいずれも黒色「２５５」の画像データとなる。また、原稿領域内において、ブックセンター部３０ａを除いた箇所Ｂは、それぞれ原稿内容が２値化されている。
同図（ｄ）は、第２の２値化手段５において高い閾値「２４０」で２値化したときの出力される画像デ−タである。高い閾値で２値化すると、図示のように、ブック原稿３０の領域外だけが黒色「２５５」の画像データとなる。原稿領域内の箇所Ｃは、それぞれ原稿内容が２値化されている。
【００１６】
上記第１，第２の２値化手段４，５で２値化されたときにおける、斜線部分の領域Ａは、それぞれ強制白信号として文字処理用２値化部３に送られる。
ここで、論理演算部９は、「消去モード」のときには、第１の強制信号発生部６から出力される第１の強制信号（図２ｃ斜線部分）を強制白信号として文字処理用２値化部３に出力する。これにより、強制白信号の出力時には２値化の閾値は「２５５」とされ、文字処理用２値化部３は原稿３０の領域外およびブックセンター部３０ａの画像データを「白」色として出力する。
【００１７】
一方、「写真モード」のときには、第１の強制信号発生部６から出力される第１の強制信号（図２ｃ斜線部分）と、第２の強制信号発生部７から出力される第２の強制信号（図２ｄ斜線部分）の画像データとの入力に基づき、両画像データで一致する領域（図２ｄ斜線部分）を強制白信号として文字処理用２値化部３に出力する。
さらに、両画像データで一致しない、つまり、第１の強制信号が出力され第２の強制信号が出力されない領域（図２ｄ中領域Ｓ部分）を強制写真信号として画像処理選択部１０に出力する。
【００１８】
画像処理選択部１０は、写真処理用２値化部２からの入力と、文字処理用２値化部３からの入力のどちらか一方を、強制写真信号の有無により選択し出力する。なお、強制写真信号が入力されているときには写真処理用２値化部２からの入力を選択出力する。
【００１９】
次に、上記構成による装置の画像処理動作を図３のフローチャートを用いて説明する。ここで、入力される画像データの１画素を注目画素として扱い、この１画素の処理について説明することとする。
１．消去モード時
消去モード時には、第１の２値化手段４、第１の強制信号発生部６が使用され、第２の２値化手段５、第２の強制信号発生部７は使用されない。
まず、注目画素を第１の２値化手段４で２値化する（ＳＰ１）。
次に、第１の強制信号発生部６により、この注目画素が外側から連続する黒画素であるか否かが判定される（ＳＰ２）。この判定内容は後述する。ここで、ＳＰ２がＹＥＳと判定されると強制信号１を発生する（ＳＰ３）。一方、ＳＰ２がＮＯと判定された場合は処理しない。
次に、強制信号発生部６は、強制信号１が発生しているとき「強制白信号」を論理演算部９に出力する（ＳＰ４）。
【００２０】
論理演算部９は、この「強制白信号」が注目画素に対して出力されているか否かを判断する（ＳＰ５）。ＳＰ５がＹＥＳと判定されると文字処理用２値化部３の閾値を最大値「２５５」に設定する（ＳＰ６）。ＳＰ５がＮＯと判定されると文字処理用２値化部３の閾値を通常値「１２８」に設定する（ＳＰ７）。
そして、文字処理用２値化部３は、この設定された閾値で注目画素を２値化する（ＳＰ８）。
２値化後の画像データは、画像処理選択部１０を介して外部出力される。これにより、消去モード時には、原稿３０の領域外とブックセンター部が「白」色として出力され、原稿領域内が単純２値化された画像データが出力される。
【００２１】
図２（ｆ）は、上記消去モード時の出力画像データを示す図である。
同図に示すように、載置台３１上で原稿３０の領域外とブックセンター部３０ａ部分の箇所はいずれも「白」色に置き換えられ、ブックセンター部３０ａの箇所部分の原稿情報が欠落することになるが、不要な領域の「黒」色が消去されて体裁のよい画像データを得ることができるようになる。同時に画像データ自体のノイズ成分が除去でき、画像データのデータサイズを小さくできるようになる。
【００２２】
２．写真モード時
写真モード時には、第１，第２の２値化手段４，５と、第１，第２の強制信号発生部６，７のいずれもが使用される。
まず、注目画素を第１の２値化手段４で２値化する（ＳＰ１０）。
次に、第１の強制信号発生部６により、この注目画素が外側から連続する黒画素であるか否かが判定される（ＳＰ１１）。この判定内容は後述する。ここで、ＳＰ１１がＹＥＳと判定されると強制信号１を発生する（ＳＰ１２）。一方、ＳＰ１１がＮＯと判定された場合は処理しない。
同時に注目画素は第２の２値化手段５でも２値化する（ＳＰ１３）。そして、第２の強制信号発生部７により、この注目画素が外側から連続する黒画素であるか否かが判定される（ＳＰ１４）。この判定内容は後述する。ここで、ＳＰ１４がＹＥＳと判定されると強制信号２を発生する（ＳＰ１５）。一方、ＳＰ１４がＮＯと判定された場合は処理しない。
【００２３】
論理演算部９は、注目画素に対して強制信号１および強制信号２の両方が出力されている場合に、「強制白信号」を文字処理用２値化部３に出力する（ＳＰ１６）。
また、注目画素に対して強制信号１が出力されていて且つ強制信号２が出力されていない場合には、「強制写真信号」を画像処理選択部１０に出力する（ＳＰ１７）。
【００２４】
文字処理用２値化部３は、「強制白信号」が注目画素に対して出力されているか否かを判断する（ＳＰ１８）。ＳＰ１８がＹＥＳと判定されると閾値を最大値「２５５」に設定する（ＳＰ１９）。ＳＰ５がＮＯと判定されると閾値を通常値「１２８」に設定する（ＳＰ２０）。
そして、文字処理用２値化部３は、この設定された閾値で注目画素を２値化する（ＳＰ２１）。
【００２５】
また、「強制写真信号」が注目画素に対して出力されたときには（ＳＰ２２-YES）、画像処理選択部１０が疑似中間調処理した２値画像データを選択し外部に出力する（ＳＰ２３）。
【００２６】
図２（ｇ）は、上記写真モード時の出力画像データを示す図である。
同図に示すように、載置台３１上で原稿３０の領域外の箇所が「白」色に置き換えられる。また、ブックセンター部３０ａ（図２ｄ中Ｓ）箇所の原稿情報が疑似中間調処理される。
これにより、不要箇所である原稿領域外の「黒」色が消去され、かつ、ブックセンター部３０ａ部分の情報も欠落することなく得ることができるようになる。この写真モードでも画像データ自体のノイズ成分が除去できる。
【００２７】
上記消去モード及び写真モードのいずれにおいても、載置台３１上に原稿３０を載せて１度走査させるだけでリアルタイムに上記画像処理を行うことができるため、プレスキャンが不要であり、必要な原稿情報だけを有する画像データを、簡単な操作で迅速に得ることができるようになる。
【００２８】
図５は本発明の画像処理装置の別の実施の形態を示すブロック図である。
なお、本ブロック図の構成要素のうち図１に示すものと共通の部分については説明を割愛する。
文字２値化閾値算出手段１１は、文字処理用２値化部３ａで強制白信号により閾値２５５で２値化しない場合の文字２値化閾値を算出するための手段である。前述の実施の形態においては、強制白信号が発生しない注目画素は単一の閾値１２８にて２値化されていたが、それでは紙の色が濃い目の原稿や文字の薄目の原稿にうまく対応できず、地の部分がざらついたり文字がかすれたりすることがあった。
【００２９】
この文字２値化閾値算出手段１１は、画像処理装置内の図示しない操作パネルにより原稿濃度が濃いか薄いかが設定されると、その結果に応じて適正な文字２値化閾値を算出する。そして算出された閾値は文字処理用２値化部３ａに入力される。
文字処理用２値化部３ａは、論理演算部９から強制白信号が入力されたときには入力画像を最大値「２５５」で２値化し、強制白信号が入力されないときには文字２値化閾値算出手段１１により算出された文字２値化閾値にて２値化し、画像処理選択部に出力する。
よって、本実施の形態においては原稿の文字の濃度や紙の色に多少変化があったとしても、操作者により設定された原稿濃度に応じた文字２値化閾値を文字２値化閾値算出手段１１により算出する構成であるので、より綺麗な画像を得ることができる。
また、文字処理用２値化部３ａは、閾値が可変できる構成となっているので、原稿の濃度に応じた閾値を設定するための手段としても、強制白信号に応じて最大値「２５５」の閾値を設定するための手段としても、どちらの手段としても共用でき、回路の単純化に大きく貢献することができる。
【００３０】
図６は、上記装置における原稿の走査状態を示す図である。
図示のように、原稿３０はｎ×ｍ列の画素として扱われ、ｎ方向への主走査とｍ方向への副走査によって読み取られる。この走査は主走査方向に１画素列を順方向及び逆方向に１往復した後に副走査され、次の画素列（ｍ＋１）が同様に１往復主走査される。
【００３１】
同図に示すように、主走査は順方向が３画素分のデータを用いて連続する黒画素を検出する（識別パターン１）。この識別パターン１は、読み取り入力された１画素を注目画素Ａ（１ビット）とする。また、その注目画素Ａの１列前の画素をａ２，ａ１（２ビット）とし、注目画素Ａの１行前の画素をｂ（１ビット）とする。ここで画素ａ２，ａ１とｂは、以前に走査したときの注目画素のデータであり、格納されているメモリから読み出して得る。これら３画素分のデータを基に注目画素Ａ読み取り時には、後述する識別パターン１の状態判定表（図９参照）を用いてこの注目画素Ａのデータが２ビットのデータＣ２，Ｃ１に変換されメモリに格納される。
【００３２】
また、主走査の逆方向は２画素分のデータを用いて連続する黒画素を検出する（識別パターン２）。この識別パターン２は、前記順方向の主走査でメモリに格納されたデータＣ２，Ｃ１を注目画素とする（２ビット）。このとき、注目画素Ｃ２，Ｃ１より１列後の画素をＤ（１ビット）とする。これら２画素分のデータを基に注目画素Ｃ２，Ｃ１の読み出し時には、後述する識別パターン２の状態判定表を（図１０参照）を用いてこの注目画素Ｃ２，Ｃ１のデータは１ビットのデータＥとしてメモリに格納される。
【００３３】
次に、図７，図８のフローチャートを用いてこの連続する黒画素の領域判別処理を説明する。
まず、注目画素Ａについての主走査を順方向に処理していく（図７参照）。
始めに、注目画素Ａの１ライン前（ｎ，ｍ−１）のデータをメモリから識別パターン１のｂへ入力する（ＳＰ３０）。
次に、注目画素Ａの１画素前（ｎ−１，ｍ）のデータをメモリから識別パターン１のａ２，ａ１へ入力する（ＳＰ３１）。
次に、読み取られた注目画素（ｎ，ｍ）の２値化後のデータを識別パターン１のＡへ入力する（ＳＰ３２）。
以上３画素分のデータが揃ったところで、図９に記載した識別パターン１の状態判定表を参照して出力データを得る（ＳＰ３３）。
【００３４】
図９の状態判定表を説明すると、画素ｂ，ａ１のデータ状態０／１は、強制白信号を０＝出力しない、１＝出力した、状態を示している。
ａ２のデータ状態０／１は、この順方向の処理で強制信号の出力を判定できず、後の逆方向の主走査で決定するか否かを示す保留信号を０＝保留信号なし、１＝出力する、状態を示している。
注目画素Ａのデータ状態０／１は、前段の２値化手段４，６で２値化処理後に入力される画像データであり、０＝白、１＝黒、を示している。
この３画素分のデータの組合せから出力データＣ２，Ｃ１を得る。
出力データＣ１でのデータ状態０／１は、強制白信号を０＝出力しない、１＝出力する、状態を示す。
出力データＣ２でのデータ状態０／１は、この順方向の処理で強制信号の出力を判定できず、後の逆方向の主走査で決定するか否かを示す保留信号を０＝保留信号なし、１＝出力する、状態を示している。
【００３５】
この識別パターン１の状態判定表に基づき、注目画素Ａの出力Ｃ２（保留信号）とＣ１（強制白信号）の出力の有無がメモリに記憶される。メモリは内部記憶用のバッファメモリと外部出力用のラインメモリを有している。
ここで、注目画素Ａの出力Ｃ２，Ｃ１は、バッファメモリとラインメモリにそれぞれ出力される（ＳＰ３４，ＳＰ３５）。
以上ＳＰ３０〜ＳＰ３５に至る処理で主走査が順方向に１画素分実行される。この後、ＳＰ３６にて注目画素Ａを順方向に１画素分移動させる（ｎ＝ｎ＋１）。
そして、１行全ての画素（ｎ）分だけ順方向に主走査されるまで（ＳＰ３７-YES）、ＳＰ３０に移行し上記１画素づつ処理していく。
【００３６】
例えば、この識別パターン１による主走査の順方向への走査時において、画素ｂが０（強制信号を出力しない）、画素ａ１が０（強制信号を出力しない）、同画素ａについての保留信号内容ａ２が１（保留信号を出力する）、画素Ａの２値化データが１（黒）であるとき、出力データＣ１は０、Ｃ２は０となる。
【００３７】
次に、注目画素Ａについての主走査を逆方向に処理していく（図８参照）。
始めに、注目画素Ａの強制信号Ｃ１と、保留信号Ｃ２をラインメモリから識別パターン２へ入力する（ＳＰ４０）。
次に、注目画素Ａの１画素後ろ（ｎ＋１，ｍ）の強制信号をバッファメモリから識別パターン２へ入力する（ＳＰ４１）。
以上３画素分のデータが揃ったところで、図１０に記載した識別パターン２の状態判定表を参照して出力データを得る（ＳＰ４２）。
【００３８】
図１０の状態判定表を説明すると、注目画素Ｃ１と，この注目画素の１画素後ろの画素Ｄのデータ状態０／１は、強制白信号を０＝出力しない、１＝出力した、状態を示している。
Ｃ２のデータ状態０／１は、順方向の処理時における保留信号を０＝保留信号なし、１＝出力する、状態を示している。
この２画素分のデータの組合せから出力データＥを得る。
出力データＥでのデータ状態０／１は、強制白信号を０＝出力しない、１＝出力する、状態を示す。
【００３９】
この識別パターン２の状態判定表に基づき、注目画素Ｃ１の出力Ｅ（強制信号）がバッファメモリとラインメモリに出力される（ＳＰ４３）。
この後、ＳＰ４４にて注目画素Ａを逆方向に１画素分移動させる（ｎ＝ｎ−１）。
そして、１行全ての画素（ｎ）分だけ逆方向に主走査されるまで（ＳＰ４５-YES）、ＳＰ４０に移行し上記１画素づつ処理していく。
【００４０】
例えば、この識別パターン１による主走査の逆方向への走査時において、注目画素Ｃ１が０（強制信号を出力しない）、Ｃ２が１（保留信号を出力する）、注目画素の１画素後ろの画素Ｄが１（強制信号を出力する）、であるとき、出力データＥは１となる。
【００４１】
このようにして、主走査は順方向が３画素分の識別パターン１で走査されていき、逆方向が２画素分の識別パターン２で走査されていき、これら１往復することにより、注目画素Ａについて強制信号出力の有無（出力データはＥ）が判定出力される。
即ち、主走査は、順方向だけでは強制信号の出力が決定できない場合であっても、逆方向への走査によって強制信号の出力の有無を決定できるようになっており、原稿領域外から内方へ連続する黒画素を原稿の両端からそれぞれ走査することにより検出できるようになっている。
【００４２】
【発明の効果】
本発明の画像処理装置によれば、原稿外領域を抽出する手段を有し、原稿外領域とその他の領域をそれぞれ異なる閾値で２値化する手段を有しているので、原稿外領域は高い閾値で２値化することにより白データとして出力し、その他の原稿内領域は文字処理用２値化閾値で２値化することにより文字データとして出力される。よって、原稿の外側やブック原稿のブックセンター部が原稿外領域として抽出され、高い閾値により白データとして出力されるので、原稿の外側やブックセンター部が黒い帯状とならない良好な出力画像が得られる。
さらに、原稿の外側がブック原稿のブックセンター部と比較して高濃度であることに着目し、高低２種類の閾値を用いて原稿外領域の抽出を行い、その結果をもとに原稿の外側は白データとして２値化し、ブック原稿のブックセンター部は階調データとして２値化する構成である。これにより、明らかに文字の存在しない原稿の外側と、文字の存在する可能性のあるブック原稿のブックセンター部とで２値化処理の方法を変えることで、ブックセンター部の必要な文字の領域のみ階調データとして出力されるため欠落することがない。
また、原稿の濃度に応じた文字２値化閾値を設定できるので文字原稿が美しく再現できる。
いずれにおいても、本装置では、原稿をプレスキャンすることなく１度読み込むだけでリアルタイムに画像データを出力することができ、操作性及び時間短縮の効果が得られる。
【図面の簡単な説明】
【図１】本発明の画像処理装置の実施の形態を示すブロック図。
【図２】同装置の画像処理内容を説明するための図。（ａ）は載置台上の原稿を示す図、（ｂ）は中間調処理時の画像データを示す図、（ｃ）は低い閾値での２値化時の画像データを示す図、（ｄ）は高い閾値での２値化時の画像データを示す図、（ｅ）は走査状態を示す図、（ｆ）は消去モード時の出力データを示す図、（ｇ）は写真モード時の出力データを示す図。
【図３】消去モード時の処理内容を示すフローチャート。
【図４】写真モード時の処理内容を示すフローチャート。
【図５】本発明の画像処理装置の他の実施の形態を示すブロック図。
【図６】連続する黒画素を検出するための識別パターン１，２を示す図。
【図７】連続する黒画素の検出処理を示すフローチャート（その１）。
【図８】連続する黒画素の検出処理を示すフローチャート（その２）。
【図９】順方向への走査時の識別パターン１で参照される状態判定表。
【図１０】逆方向への走査時の識別パターン２で参照される状態判定表。
【符号の説明】
１  イメージセンサ
２  写真処理用２値化部
３，３ａ  文字処理用２値化部
４  第１の２値化手段
５  第２の２値化手段
６  第１の強制信号発生部
７  第２の強制信号発生部
９  論理演算部
１０  画像処理選択部
１１  文字２値化閾値算出手段
【図１】
0003836213.tif 000002
【図２】
0003836213.tif 000003
【図３】
0003836213.tif 000004
【図４】
0003836213.tif 000005
【図５】
0003836213.tif 000006
【図６】
0003836213.tif 000007
【図７】
0003836213.tif 000008
【図８】
0003836213.tif 000009
【図９】
0003836213.tif 000010
【図１０】
0003836213.tif 000011